(57)【要約】【課題】ファイナライズ処理に時間がかかるという問題がある。【解決手段】リアルタイムの映像情報や簡易フォーマットで記録したディスクをファイナライズ処理する際などに、リードアウトエリアの記録量をユーザ指定できるようにする。さらに、ユーザ指定で、リードアウトエリアの追記が出来るようにする。また、リードアウトエリアの記録を映像情報の記録に比べ、高速に記録すると同時に、必要記録パワーを減らし、高速なファイナライズ処理を実現する。【選択図】  図１
2004326934.tif 000002
【特許請求の範囲】
【請求項１】
記録メディアに映像情報を記録する記録手段と、
前記記録メディアのファイナライズ処理による少なくともリードアウトデータを記録するファイナライズ処理手段とを有し、
前記映像情報記録動作時に、周期的に記録期間と記録停止期間を繰り返す間欠記録方式に切り換える切換手段とを有する記録装置であって、
前記リードアウトデータ量を切り替え可能なことを特徴とする記録装置。
【請求項２】
請求項１記載の記録装置において、前記リードアウトデータ量の切り替えを外部から可能とすることを特徴とする記録装置。
【請求項３】
記録メディアに映像情報を記録する記録手段と、
前記記録メディアのファイナライズ処理による少なくともリードアウトデータを記録するファイナライズ処理手段とを有し、
前記映像情報記録動作時に、周期的に記録期間と記録停止期間を繰り返す間欠記録方式に切換える切換手段とを有する記録装置であって、
前記リードアウトデータの追記を可能にしたことを特徴とする記録装置。
【請求項４】
請求項３記載の記録装置において、前記リードアウトデータの追記を外部から可能とすることを特徴とする記録装置。
【請求項５】
記録メディアに映像情報を記録する記録手段と、
前記記録メディアのファイナライズ処理による少なくともリードアウトデータ記録を高速に行うファイナライズ処理手段と、
本装置の温度変化を検出する温度検出手段と、
前記温度検出手段の出力に応じて前記ファイナライズ処理手段を一旦停止する、停止手段と、上記停止手段により停止したことを知らせる表示手段をし、前記表示手段の表示に従い、リードアウトデータの記録を中断、あるいは終了するリードアウトデータ記録終了手段を有することを特徴とする記録装置。
【請求項６】
請求項１乃至５記載の記録装置において、記録メディアが、有機色素媒体であることを特徴とする記録装置。
【請求項７】
請求項１乃至５記載の記録装置において、記録メディアが、８ｃｍ径のディスクであることを特徴とする記録装置。
【請求項８】
請求項１乃至５のいずれか一項に記載の記録装置が携帯型カメラ一体型記録装置であることを特徴とする記録装置。
【発明の詳細な説明】
【０００１】
【発明の属する技術分野】
本発明は、追記型記録ディスクや書き換え回数が制限された書換型記録ディスク等のディスク記録媒体の記録装置、特に、そのファイナライズ処理手段およびそれを用いた情報記録装置に関する。
【０００２】
【従来の技術】
従来、映像情報をディスク形状の記録メディアに記録する方法として、リアルタイムでビデオ記録をし、記録後簡単に編集処理ができるアプリケーションとして、リアルタイムのビデオレコーディングフォーマットがある。これは、ＴＶ放送等が放送と同時に録画でき、また、録画後の編集、消去が安易にできる規格となっている。
【０００３】
一方、市販ＤＶＤプレーヤで見ることを前提とした市販ソフトとに採用されているビデオフォーマットは、記録前に編集処理することを前提に考えられた為に、前記ビデオレコーディングフォーマットとは異なる。このため、前記ビデオレコーディングフォーマットで記録されたディスクは市販のＤＶＤプレーヤで見ることが出来ないという問題がある。
【０００４】
そこで、簡易フォーマットの形式で一旦リアルタイムで情報を記録して置き、最後にファイナライズ処理を行うことで上記標準のビデオフォーマットに準拠した記録管理データを再記録する方法が提案されている。（例えば、特許文献１参照）
しかし、ファイナライズ処理には、所定の領域まで記録をする必要があり、少ない領域までしか情報を記録していないディスクをファイナライズ処理すると、残りの領域に所定のデータを記録するリードアウト領域が増加してファイナライズ処理に時間がかかるという問題がある。このため、この領域を高速で記録することや連続的に記録することが提案されている。（例えば、特許文献２参照）
【０００５】
【特許文献１】
特開２００１−１４８１６６号（３頁−４頁）
【特許文献２】
特開２００１−１７６０７９号（２頁−５頁）
【０００６】
【発明が解決しようとする課題】
上記従来技術は、本ディスク記録装置を小型の携帯機器に採用した場合に、特に温度上昇による性能不安定要因についての考慮がなされていなかった。特に，色素系の記録媒体を使用する（たとえば、ＤＶＤ−Ｒなど）媒体では記録パワーの確保が必要となることと、特にファイナライズの時間短縮のため、ファイナライズを高速にすることで、さらに記録パワーが必要になった場合に、連続的に動作することで小型の携帯機器の装置全体の温度上昇がさらに問題となる。
【０００７】
例えば、ＤＶＤ−ＲやＤＶＤ−ＲＷなどのディスクのファイナライズ処理では、その記録ディスクにわずかな情報しか記録されていない場合、ＤＶＤプレーヤでの再生を考慮してディスクの空き領域の所定の位置までリードアウトデータを記録する必要がある。この時間は数分以上必要なことがあり、小型の携帯機器で連続的な記録動作を行うと、急激な温度上昇を招き装置の各部品の性能が確保できなくなり正しくファイナライズ処理が完了しないという問題が生じることがある。
【０００８】
更なる問題として、小型の携帯機器の場合、当然ディスクに記録するための光学系の形状を小さくする必要があり、たとえ高出力のレーザーであっても、光学系のロス分を考えると、レーザー自身が、このような、高記録パワーで記録できない問題がある。
【０００９】
さらに、光ディスクの高速回転に伴う振動、騒音を考えた場合、例えば、ビデオカメラのような画像音声記録装置では、騒音、振動のため、少なくとも映像、音声を記録する最中においては、高速で記録することは出来ない。
【００１０】
一方、ＤＶＤプレーヤでの再生を考慮してディスクの空き領域の所定の位置までリードアウトデータを記録するリードアウトデータの記録領域が必要である理由は、以下の理由である。すなわち、ＤＶＤプレーヤのサーボ方式が、記録データが書かれていることを前提にサーボ信号を生成しているため、記録データが書かれていない場合、サーボ制御が外れてしまい、光ヘッドの位置制御が出来なくなる。そこで、有効な記録情報の後に所定量のリードアウトデータを記録し、サーボ信号が生成できなくなることを防止している。
【００１１】
特に、８ｃｍディスクの場合、その記録量は半径７ｃｍ程度まで要求されている。ところが、例えば数メガバイト程度のユーザ情報の記録を行った後にＤＶＤプレーヤに再生したいがためのファイナライズ処理を行う場合には、７ｃｍ径までリードアウトデータを記録する必要があり、ファイナライズ処理時間が無駄である。また、ＤＶＤプレーヤ全てが７ｃｍ径までリードアウトデータを記録していなければ再生できないかといえば、そのようなことは無く、通常記録データ終了後、２ｍｍ程度のリードアウトデータを記録すれば十分再生可能である。
【００１２】
本発明の目的は、ディスク記録装置のファイナライズ処理を高速で且つ短時間で完了させるものである。言換えると、装置が許す限り高速なファイナライズ処理を実現することに有る。
さらには、これらのディスク装置をカメラ一体型記録装置や携帯型情報処理装置やモニター一体型装置に適用した装置を提供する。
【００１３】
【課題を解決するための手段】
上記目的を達成するために、記録メディアに映像情報を記録する記録手段と、前記記録メディアのファイナライズ処理による少なくともリードアウトデータを記録するファイナライズ処理手段と、上記リードアウトデータの記録動作時に、信号品質より記録時間を優先し高速で記録する方法を切り替える切り替え手段と、本装置の温度変化を検出する温度検出手段と、前記温度検出手段の出力に応じて前記ファイナライズ処理手段を一旦停止する停止手段と、前記リードアウトデータ量を外部から切り替える操作手段と、ファイナライズ処理を途中で停止または終了する手段とを設けたものである。
さらに、終了したファイナライズ完了ディスクに、リードアウトデータを追記する追記手段を設けたものである。
【００１４】
また、上記映像情報を記録する記録データの記録動作時に、記録時間より信号品質を優先し、周期的に記録期間と記録停止期間を繰り返す間欠記録方式に切換える切換手段と、本装置の温度変化を検出する温度検出手段と、前記温度検出手段の出力に応じて前記記録停止期間に記録データの記録動作時の記録パワー値を適正に制御するパワーキャリブレーション手段を設けたものである。
【００１５】
前記パワーキャリブレーションは、実際パワーキャリブレーションエリアＰＣＡへシークし、記録パワーを振って、最適記録パワーを求める。或いは、あらかじめ、温度と必要パワーとをテーブル化し、閾値温度時に、前記テーブル値を反映させる。或いは、両者組み合わせにて行う。
【００１６】
上記リードアウトエリアの記録は、データ記録エリアを再生時に、光ヘッドがオーバランしないようにデータを余分に記録するもので、記録信号の品質は低くても問題ない。
【００１７】
一方、記録速度とその速度で、光ディスク上に記録波形を最適に記録した場合の必要記録ピークパワーは、約記録速度のルート倍になる。従って、記録時間がかかるが、データ品質に、それ程高品質を要求しない、リードアウトエリアの記録は、記録パワーを少し小さめにし、高速に且つ、連続に記録するほうが、時間短縮が可能になる。こうすることにより、低速且つ間欠記録で、データ信頼性を高く出来るデータ記録エリアの記録と、高速のリードアウトエリアの記録が可能になる。
【００１８】
さらに、上記目的を達成するために、前記記録装置のファイナライズ処理装置を設けたディスク記録装置を携帯型カメラ一体型記録装置に適用したものである。
さらに、上記目的を達成するために、前記記録装置のファイナライズ処理装置を設けたディスク記録装置を携帯型情報処理装置に適用したものである。
さらに、上記目的を達成するために、前記記録装置からの再生信号を表示するモニター装置を携帯型モニター一体型映像再生装置に適用したものである。
【００１９】
【発明の実施の形態】
以下、本発明の実施の形態を、図面を用いて説明する。
図１は、本発明の一実施形態に係るディスク装置の概略構成を示すブロック図である。
図１において、１は撮影手段で、撮影光学系２やＣＣＤ（撮像素子）３やＡ／Ｄ変換器４などからなり、被写体像を撮影光学系２によってＣＣＤ３上に結像させ、ＣＣＤ３により画像信号を得て、これをＡ／Ｄ変換器４によってディジタル化して出力する。５は、撮影手段１からの画像信号を画像データに変換処理する画像信号処理手段で、この画像信号処理手段５は、音声情報信号入力手段であるマイクロフォン１８からの音声情報信号をも処理するようになっている。
【００２０】
また、再生時には、画像信号処理手段５は、後記記録再生信号処理手段６からの画像データを表示出力用の画像情報信号に変換処理するようになっており、さらに、この画像信号処理手段５は、後記記録再生信号処理手段６からの音声データを音声出力用の音声情報信号に変換処理するようになっている。
【００２１】
ビデオカメラの場合、画像データ、音声データは連続的に５の画像信号処理手段で処理を行われており、画質、音質は、５の画質信号処理手段の処理能力で決められ、その処理能力により５の画像信号処理手段から後述の６の記録再生信号処理手段に送られるデータの転送速度が決まる。上記、撮影手段１、マイクロフォン１８、画像信号処理手段５を纏めてカメラ部２１とする。
【００２２】
６は記録再生信号処理手段で、画像信号処理手段５からの画像データ（音声データを含む）を、ディスク状記録媒体９へ記録するための記録フォーマットにしたがった記録データに変換するため、あるいは、ディスク状記録媒体９から再生された記録データを画像データ（音声データを含む）に変換処理するため、エンコード／デコード処理、変調／復調処理、ＥＣＣ付加／誤り訂正処理などの処理を行う。ディスクへの記録、或いは再生の転送速度は、上記記録再生信号処理手段６の処理能力、再生手段８の処理能力、ディスクの回転速度等により決まる。
【００２３】
７は上記画像信号処理手段５からの画像データ（音声データを含む）を一時記憶するメモリである。上記メモリは、７の画像信号処理手段から転送される画像データ或いは音声データの転送速度が、ディスク状記録媒体（光ディスク）９に記録を行う速度より速い場合に蓄積されている。従って、光ディスク９への記録は、前記メモリへの蓄積量がメモリ容量以上にならないうちに記録する必要がある。
【００２４】
８は再生手段、９は図示せぬスピンドルモータによって回転駆動される光ディスク、１０はレーザ１１（レーザダイオード）やこれを駆動するレーザドライバ１２や光学系（図示せず）や光検出器１３と光検出器からの電流値を電圧値に変換し、増幅するＩＶアンプ１４等よりなる光学ヘッドであり、記録再生信号処理手段６は、上記メモリ７に記憶された上記記録データを、光ディスク上に記録する記録信号に変換（エンコード処理）したのち、前記記録信号を、ディスク上に所定の記録信号になるようにレーザドライバ１２に必要な制御情報を送り、レーザドライバ１２がレーザ１１を制御してディスク９上に所定の記録信号を記録する。
【００２５】
また、光ディスク９上の記録信号は、光検出器１３により読み出され、ＩＶアンプ１４により増幅された後、再生手段８により、サーボ用信号、再生信号に変換した後、記録再生信号処理手段６に送り、再生された記録データに変換される。また、サーボ用信号は、記録再生信号処理手段６にてサーボ制御信号に変換し、１６のサーボ制御手段に送る。１６は光記録に必要なサーボ制御、例えば、光学ヘッド１０のアクチェータ（図示せず）を制御するフォーカスやトラッキング制御、ＳＮＰモータ（図示せず）を制御するディスクの回転制御、アドレス位置を制御するシーク制御等を行う。上記光ディスク９、光ヘッド１０、記録再生信号処理手段６、再生手段８、サーボ制御手段１６までを、記録再生部２２とする。
【００２６】
１９はＬＣＤ等よりなる画像表示手段である。そして、再生時には、光学ヘッド１０で読み取られた光ディスク９上のデータ（レーザ光で照射された光ディスクからの反射光を、反射光量差として光学ヘッド１０の光検出器で読み取ったデータ）が、記録再生手段８を経て、再生された記録データとしてメモリ７に一旦蓄積された後、記録再生信号処理手段６で元の画像データに変換され、画像信号処理手段５を経て、この画像表示手段１９に表示される。
【００２７】
１７は、装置全体の統括制御を司る制御マイコンよりなるシステム制御手段で、このシステム制御手段１７によって、上述した装置の各部の制御や、全体の統括管理を行う。
【００２８】
ここで、温度センサ１５は特に温度上昇に注意が必要な光ヘッド１０に近い所に配置され、装置の温度を温度センサ１５にて検出し、システム制御手段１７内に取り込まれる。
【００２９】
２０が操作スイッチで、ユーザの画像記録、再生の指示、ファイナライズ処理の指示等を行い、その指示が、制御マイコン１７に送られ、その指示により、制御マイコン１７は装置全体を制御する。また、ファイナライズ処理におけるリードアウトデータ記録量の切り替え、ファイナライズ処理済のディスクへのリードアウトデータの追記指示も上記操作スイッチ２０で行う。
【００３０】
次に、画像信号を扱う光ディスク９としては、たとえば、図２に示すようなものがある。再生専用としてＤＶＤ−ＲＯＭ、１回のみの追記型としてＤＶＤ−Ｒ、ＤＶＤ＋Ｒ、書き換え可能なメディアとしてＤＶＤ−ＲＷ、ＤＶＤ＋ＲＷおよびＤＶＤ−ＲＡＭがある。そして、記録フォーマットとしては、たとえば、ビデオフォーマット（ＤＶＤ  Ｖｉｄｅｏ  ｆｏｒｍａｔ）とビデオレコーディングフォーマット（Ｖｉｄｅｏ  ｒｅｃｏｒｄｉｎｇ  ｆｏｒｍａｔ）が提案されている。
【００３１】
ビデオフォーマットは、映画等の事前に充分に編集処理された映像情報を、たとえばマルチアングルやパレンタル再生、ランダム・シャッフル再生などの独自の機能を実現したり、早送り、巻き戻しなどの特殊再生をサポートするための強力な情報データを持っている。
【００３２】
また、ビデオレコーディングフォーマットは、この書き換え型ディスクを前提に編集処理を経ずにリアルタイムでビデオ信号記録をし、記録後簡単に編集処理ができるアプリケーションを考慮している。しかし、このビデオレコーディングフォーマットで記録された信号は、先のビデオフォーマットで記録された再生専用ディスクを再生する為の多くのＤＶＤプレーヤでは再生できないものが多いと言う問題がある。
【００３３】
この問題は、特にビデオカメラにおいてディスクメディアに記録する際に、書き換え型ディスクであるＤＶＤ−ＲＷやＤＶＤ−ＲＡＭでは、一旦、ビデオレコーディングフォーマットで記録した後、編集作業を行い再びビデオフォーマットに変換して再記録する事で解決できるが、１回のみの追記型ディスクであるＤＶＤ−Ｒディスクではビデオレコーディングフォーマットで１度記録してしまうと、再度書き換える事が出来ずそのディスクは上記多くのＤＶＤプレーヤで再生する事は出来ない。
【００３４】
そこで、ＤＶＤ−Ｒディスクでは、簡易フォーマットの形式で一旦リアルタイムで情報を記録して置き、最後にファイナライズ処理を行うことで上記標準のビデオフォーマットに準拠した記録管理データを再記録する方法を採用する。以下、ＤＶＤ−Ｒディスクを例に説明するが、ＤＶＤ＋Ｒ、ＤＶＤ−ＲＷ、ＤＶＤ＋ＲＷやＤＶＤ−ＲＡＭディスクに付いてももちろん同様に処理が可能であることは言うまでもない。また、Ｂｌｕ−ｒａｙディスクにおいても考え方は同様である。
【００３５】
図３に、ＤＶＤディスクにおけるデータ構造を模式的に示す。記録と再生が可能なＤＶＤでは、管理エリアは、Ｒ−インフォメーションエリア（Ｒ−Ｉｎｆｏｒｍａｔｉｏｎ  Ａｒｅａ）とリードインエリア（Ｌｅａｄ−ｉｎ  Ａｒｅａ）及びボーダーアウト／リードアウトエリア（Ｂｏｒｄｅｒ−ｏｕｔ／Ｌｅａｄ−ｏｕｔ  Ａｒｅａ、以降、リードアウトエリアと総称する。）から成り、更にＲ−インフォメーションエリアは、パワーキャリブレーションエリア（Ｐｏｗｅｒ  Ｃａｌｉｂｒａｔｉｏｎ  Ａｒｅａ）とレコーディングマネージメントエリア（Ｒｅｃｏｒｄｉｎｇ  Ｍａｎａｇｅｍｅｎｔ  Ａｒｅａ）で構成されているが、リードインエリアとリードアウトエリアの内容を再生専用ＤＶＤ−ＲＯＭと等しくすることによって、再生のコンパチビリティを確保している。
【００３６】
そして、データ記録エリアに新規のデータを記録したり、データ記録エリアに記録されているデータを編集する等の記録を伴う処理が行われる度に、これらの管理エリアに所定の記録管理データを再書き込みすることによって、記録状態の管理を行っている。
【００３７】
上記のディスクのデータ領域には、半径方向内側（クランピングエリアＣＡ側）から半径方向外側に向けてＲ−インフォメーションエリア（Ｒ−Ｉｎｆｏｒｍａｔｉｏｎ  Ａｒｅａ：ＲＩＡ）とインフォメーションエリア（Ｉｎｆｏｒｍａｔｉｏｎ  Ａｒｅａ：ＩＡ）が割り当てられている。
【００３８】
Ｒ−インフォメーションエリアＲＩＡは、パワーキャリブレーションエリア（Ｐｏｗｅｒ  Ｃａｌｉｂｒａｔｉｏｎ  Ａｒｅａ：ＰＣＡ）とレコーディングマネージメントエリア（Ｒｅｃｏｒｄｉｎｇ  Ｍａｎａｇｅｍｅｎｔ  Ａｒｅａ：ＲＭＡ）で構成され、インフォメーションエリアＩＡは、リードインエリア（Ｌｅａｄ−ｉｎ  Ａｒｅａ：ＬＩＡ）とデータ記録エリア（Ｄａｔａ  Ｒｅｃｏｒｄｔａｂｌｅ  Ａｒｅａ：ＤＲＡ）及びリードアウトエリア（Ｌｅａｄ−ｏｕｔ  Ａｒｅａ：ＬＯＡ）で構成されている。リードアウトエリアはＤＶＤフォーラム規格において、データ記録エリアの終了が６８ｍｍ径以下の場合は７０ｍｍまでの記録を、６８ｍｍ径以上の場合は２ｍｍ幅のリードアウトエリアの記録が必要とされている。但し、ＤＶＤプレーヤは６８ｍｍ径以下においても２ｍｍ幅のリードアウトエリアがあればサーボが外れることは無い。また、ユーザが個人で楽しむ分においては、上記リードアウトエリアの記録領域を上述の規格準拠する必要は特に無い。ユーザが使用するＤＶＤプレーヤの性能に従えばよい。
【００３９】
次に、図４、図１を参照して、ファイナライズ処理の動作を説明する。
図１において、ユーザーが操作スイッチ２０を操作すると、図４のファイナライズ処理の動作が開始する。まず、ステップ１０２において、データ記録エリアＤＲＡ内にすでに記録されているメインデータの最後尾、すなわちリードアウトエリアＬＯＡの開始端のアドレスを検出する。その後、最低限の範囲のリードアウトエリアの記録を行う。この最低限のリードアウト記録エリアは、半径１ｍｍ程度とする。
【００４０】
次に、ステップ１０３において、レコーディングマネージャエリアＲＭＡに記録管理データが記録される。
次に、ステップ１０４において、標準フォーマットに準拠してリードインエリアＬＩＡの所定のエリアに、ファイナライズされたことを示す所定データとしての記録管理データが記録される。
次に、ステップ１０５において、ユーザが予め指定した残りのリードアウトエリアＬＯＡを追記で記録する。この記録は、ユーザ指定で省くことも可能である。最終的には標準フォーマットにおける所定の範囲のリードアウトエリアＬＯＡまで記録される。
【００４１】
このように、ファイナライズ処理が行われると、装填された光ディスク９は、ユーザ要求に従い記録管理データが記録されるため、読み出し専用ＤＶＤとのコンパチビリティが確保される。
【００４２】
通常ファイナライズ処理は、上記ステップ１０２に記載において、所定の範囲（たとえば、直径７０ｍｍ）までリードアウトエリアＬＯＡを記録する。このため、条件によっては十数分ものファイナライズ処理時間を要することが考えられる。しかしながら、上記方法を採用することで、ファイナライズ動作は、かなり短縮できる。
【００４３】
さらに、ファイナライズ処理を短縮する方法を次に示す。
上記ファイナライズ処理のうち、リードアウトエリアＬＯＡの記録は、データ記録エリアＤＲＡ部を再生時に、光ヘッド１０がオーバランしないようにデータを余分に記録するもので、データは００を記録する。従って、リードアウトエリアＬＯＡの記録信号の品質は低くても問題ない。
【００４４】
ファイナライズ処理を実行中、上記リードアウトエリアＬＯＡの記録動作に入ることは、制御マイコン１７管理しているので、リードアウトエリアＬＯＡの記録動作時に、信号品質より記録時間を優先し高速で記録するように、記録方式を切り替える。一般に、記録速度とその速度で、光ディスク上に記録波形を最適に記録した場合の必要記録ピークパワーは、図５に示すように、約記録速度のルート倍になる。
【００４５】
また、記録パワーにより、記録品質を決めるジッタが変わるが、たとえば記録品質にこだわるユーザデータ記録部はジッタ８％の記録パワーにし、記録品質にこだわらないリードアウトエリアはジッタ１２％の記録パワーにすることで、高速においても必要記録パワーを少なくすることが出来る。
【００４６】
前述したように記録品質よりも記録速度を優先するような場合には、記録パワーが少なくてすむ方法は高速記録に有利となる。
【００４７】
ここで、本発明のひとつの特徴を示す一実施例を、図１、図６〜７を用いて詳細に説明する。通常のカメラ録画時には図６に示される如く、図１の撮影手段１で撮影した画像信号及び、マイクロフォン１８にて録音した音声信号を画像データ及び、音声データに変換処理する画像信号処理手段５にて画像／音声信号を圧縮し撮影情報３１として、バッファメモリ７のバッファ入力３２として供給する。一方、光ディスク９を装填した記録再生部２２は、通常上記カメラ部２１で撮影したリアルタイム映像を記録する為に充分に高い記録転送レートの状態で光ディスク９を駆動する。
【００４８】
特に、携帯機器では大きな振動などにより安定な記録が出来ない状態が発生した場合には、再度同じ情報を光ディスク９上の同一個所または異なる個所に記録する必要があり、これらの点を考慮して上記バッファメモリ７を充分に大きな容量を確保して置くと共に、光ディスク９上への記録転送レートを上記入力信号となる撮影情報３１の転送レートに対して高く設定する。
【００４９】
但し、光ディスク９上の記録転送レートは、高く設定することは出来るが、記録転送速度を高く設定すると、後に詳しく述べるが、必要記録パワーが高くなり、小型装置の場合、図５では、約２倍を例に示している。すなわち、上記バッファメモリ７からのバッファ出力３３は間欠的に、上記バッファ入力３２の約２倍のデータレートで読み出されて、この情報を光ディスク９上に記録する。
【００５０】
このときの媒体記録３４の記録ＯＮ（ｔ１ｏｎ）／ＯＦＦ（ｔ１ｏｆｆ）状態は図６に示す如く約１／２期間となる。また、この様に記録動作を間欠的に行うことで、このＯＦＦ（ｔ１ｏｆｆ）期間の多くの時間は前記記録再生部２２の大部分の動作を停止してよく、この動作停止により消費電力を低減できるという効果を得ることができる。
【００５１】
また、その消費電力低減分、装置の温度上昇を抑制できる。このときの記録は、上述のマルチパルス記録波形を使うことで、記録時のデータ信頼性を高めることが出来る。但し、必要記録パワーは、大きくなるので、消費電力低減、及び、温度上昇低減のため、上述の間欠記録が望ましい。また、間欠記録の最中は、温度センサ１５により、光ヘッド部の温度上昇を図６の温度チェック３５により監視し続け、閾値温度以上の上昇があった場合には、記録パワー不足と判断し、パワーキャリブレーション動作３６を、間欠記録のＯＦＦ時に行う。
【００５２】
これにより、常に最適記録パワーで記録が出来、記録データのデータ信頼性を高めることが出来る。前記パワーキャリブレーションは、実際パワーキャリブレーションエリアＰＣＡへシークし、記録パワーを振って、最適記録パワーを求めても良いし、あらかじめ、温度と必要パワーとをテーブル化し、閾値温度時に、前記テーブル値を反映させても良い。この場合、パワーキャリブレーションエリアＰＣＡへのシーク、記録パワー振り等の動作をする必要が無いので、時間的に短く、パワーキャリブレーションに伴う間欠記録のデューティーを低下させることは無い。
【００５３】
これら、パワーキャリブレーションエリアで実際の記録パワーを求める方式と、テーブル値を反映させる方式とを、温度閾値により、適当に組み合わせても良い。
【００５４】
一方、ファイナライズ処理における光ディスク９上への記録は、前記カメラ録画と異なり、リアルタイム記録の必然性がない。すなわち、どのような記録転送レートで記録するかの制限は装置上特にない。特に、上述のリードアウトエリアＬＯＡへの記録に関しては、高速に記録をし、出来るだけ短時間で記録処理をしたい。また、リードアウトエリアはユーザの持つＤＶＤプレーヤによっては少ない記録（半径差で１ｍｍ程度）でも良いため、ファイナライズ処理開始を行う前に操作ＳＷよりユーザが選んだリードアウトエリア記録量分のみ記録を行う。
【００５５】
この値は、数段階に分けても良く、一番多い量が規格準拠の値とする。但し、上述の通り、リードアウトエリアＬＯＡの記録品質は、それ程高いことは要求されない。従って、低パワーで且つ、高速に連続的に記録し、温度上昇を起こさせずに高速のリードアウトエリアの記録を行う。この時の処理方法は、図７（１）に示すとおり、ファイナライズ処理開始が操作ＳＷ２０からの入力により受付けると、システム制御手段１７は、図４のファイナライズ処理を実行するため、記録再生部２２に図４の処理を行わせ、ＳＴ１０２のリードアウトエリアの記録動作の指示である図７の４１後、所定の低めの記録パワーに設定し、リードアウト記録データ４２を光ディスク９上に媒体記録信号４３に示す如く連続的に記録する。
【００５６】
但し、この場合には、連続の記録のため、温度上昇による記録パワー不足を知らずに記録を行う可能性がある。この不具合をなくすため、図７（２）のように、温度チェック５４を行いつつ、閾値温度以上の上昇があった場合、記録パワーが足りないと判断し、一旦リードアウトエリアの記録を停止した後、パワーキャリブレーション５５を行った後、再びリードアウトエリアの記録を行なってもよい。これにより、常に最適記録パワーで記録が出来、リードアウトエリアのデータ信頼性を高めることが出来る。前記パワーキャリブレーションは、実際パワーキャリブレーションエリアＰＣＡへシークし、記録パワーを振って、最適記録パワーを求めても良いし、あらかじめ、温度と必要パワーとをテーブル化し、閾値温度時に、前記テーブル値を反映させても良い。
【００５７】
この場合、パワーキャリブレーションエリアＰＣＡへのシーク、記録パワー振り等の動作をする必要が無いので、時間的に短く、パワーキャリブレーションに伴う記録時間の増加は殆ど無い。これら、パワーキャリブレーションエリアで実際の記録パワーを求める方式と、テーブル値を反映させる方式とを、温度閾値により、適当に組み合わせても良い。
【００５８】
上記温度チェックにより、ドライブ許容温度以上に温度が上昇した場合には、ユーザにその旨報告し、リードアウト記録エリアの記録を中断、或いは終了する。前記、終了したとしても、リードアウトエリアの記録速度は、図５に示すように、同一記録パワーで、約１．３倍から１．５倍の記録が出来ることから、約１．３倍以上に設定すると良い。従って、データ記録エリアの記録が、記録デューティー５０％の間欠記録なので、リードアウトエリアの記録は２．６倍以上速くすることが出来る。
【００５９】
少なくとも、リードアウトエリアは、撮影情報の記録状態ではないため、多少の高速回転であっても、光ディスク９の高速回転に伴う騒音、振動に対しては、問題とならない。
また、リードアウトエリアの記録は、基本的に連続に記録を行うが、これに限ることは無く、上述の温度センサ１５の温度によって、一時的に記録動作を中断しながら記録しても良い。
【００６０】
上記実施例は、ファイナライズ処理装置を設けた携帯型カメラ一体型記録装置に適用したものであるが、これに限ることは無く、ファイナライズ処理装置を設けたディスク記録装置を携帯型情報処理装置に適用しても、前記記録装置からの再生信号を表示するモニター装置を携帯型モニター一体型映像再生装置に適用してもよい。
【００６１】
【発明の効果】
以上述べたことから明らかなように本発明は、特に、本記録装置を小型の携帯機器に採用した場合における、高速ファイナライズ動作を可能にしたものである。具体的には、ファイナライズ動作の中のリードアウト記録データ量をユーザ指定で変更できるようにしたことと、記録品質優先のデータ記録エリアの記録には、間欠記録動作させ、記録品質に、それ程高品質を要求しない、リードアウトエリアの記録は、高速に且つ、適正パワーより低いパワーで連続に記録することで、ファイナライズ処理の時間短縮を可能にした。これにより、高速のファイナライズ処理が可能になる。
【００６２】
また、装置内に温度センサーを設けることにより、温度上昇時の記録パワーの補正を行い、記録品質の補償を行う等の効果がある
また、記録装置の温度が所定の範囲を越えると一時的にカメラ録画やファイナライズ処理を停止し、装置の消費電力を低減し温度上昇を抑えることにより誤った記録動作を回避することができる。
【００６３】
さらには、これらのディスク記録装置をカメラ一体型記録装置や携帯型情報処理装置やモニター一体型装置に適用して、安定な動作を保証したディスク記録装置一体型の各種装置を提供できるという効果を有する。
【図面の簡単な説明】
【図１】本発明の一実施例のシステムブロック図である。
【図２】本発明に使用される各種ディスクとその記録フォーマットを示す比較図である。
【図３】本発明に使用されるディスクのデータ構造を示す模式図である。
【図４】本発明の主要部の動作フローチャート図である。
【図５】記録パワーの記録速度依存性を示す図である。
【図６】本発明の主要部の動作を示す模式波形図である。
【図７】本発明の主要部の別な動作を示す模式波形図である。
【符号の説明】
１・・撮影手段、      ２・・撮影光学系、    ３・・撮像素子部、
４・・Ａ／Ｄ変換器、    ５・・画像信号処理手段、
６・・記録再生信号処理手段、      ７・・メモリ、
８・・再生手段、        ９・・光ディスク、
１０・・光学ヘッド、    １１・・レーザ、  １２・・レーザドライバ、
１３・・光検出器、    １４・・ＩＶアンプ、    １５・・温度センサ、
１６・・サーボ制御手段、  １７・・システム制御手段、
１８・・マイクロフォン、  １９・・画像表示手段、
２０・・操作スイッチ、    ２１・・カメラ部、    ２２・・記録再生部、
【図１】
2004326934.tif 000003
【図２】
2004326934.tif 000004
【図３】
2004326934.tif 000005
【図４】
2004326934.tif 000006
【図５】
2004326934.tif 000007
【図６】
2004326934.tif 000008
【図７】
2004326934.tif 000009